(57)【要約】【課題】着用者から排出された体液の拡散性や吸収体の変形を維持できる吸収性物品を提供する。【解決手段】  着用者の股間部に当てられる股下域に配置される第１吸収体１３を備える吸収性物品１である。第１吸収体１３には、周囲の領域よりも吸収性材料の目付が低いサイドスリット１３Ｂが、前後方向及び幅方向の一方である第１方向に沿って設けられており、サイドスリット１３Ｂは、第１方向に延びる第１端縁及び第２端縁を有し、第１方向に直交する第２方向における第１端縁と第２端縁の距離は変化している。サイドスリット１３Ｂは、第１端縁と第２端縁との距離が相対的に短い短部１３Ｃと、短部よりも第１端縁と第２端縁との距離が長い長部１３Ｄと、を有する。第１端縁と２端縁の少なくとも一方は、短部において、第１端縁と第２端縁の他方に向けて曲線状に突出している。【選択図】図２
2015039579.tif 000002
【特許請求の範囲】
【請求項１】
着用者の身体前側と身体後側とに延びる前後方向と、
前記前後方向に直交する幅方向と、
前記着用者に向かう内方向及び前記内方向と反対側に向かう外方向を有する厚み方向と、
前記着用者の股間部に当てられる股下域に配置され、吸収性材料が積層された吸収体と、を有する吸収性物品であって、
前記吸収体には、周囲の領域よりも前記吸収性材料の目付が低い低目付部が、前記前後方向及び前記幅方向の一方である第１方向に沿って設けられており、
前記低目付部は、前記第１方向に延びる第１端縁及び第２端縁を有し、
前記第１方向に直交する第２方向における前記第１端縁と前記第２端縁の距離は変化しており、
前記低目付部は、前記第１端縁と前記第２端縁との距離が相対的に短い短部と、前記短部よりも前記第１端縁と前記第２端縁との距離が長い長部と、を有し、
前記第１端縁と前記第２端縁の少なくとも一方は、前記短部において、前記第１端縁と前記第２端縁の他方に向けて曲線状に突出している、吸収性物品。
【請求項２】
前記短部と前記長部は、前記第１方向において交互に配置されている、請求項１に記載の吸収性物品。
【請求項３】
前記吸収体は、前記低目付部が設けられた第１吸収層を有する第１吸収体と、前記第１吸収体の非肌当接面側に配置され、かつ第２吸収層を有する第２吸収体と、を備えており、
前記第２吸収体は、前記低目付部よりも幅方向外側に配置された一対のサイド連結部において前記第１吸収体に連結されており、
前記第１吸収体は、前記第１吸収層と前記第２吸収体との間に配置された第１裏面シートを有しており、
前記第１裏面シートの少なくとも前記長部と重なる領域は、液透過性である、請求項１又は請求項２に記載の吸収性物品。
【請求項４】
前記吸収体は、前記低目付部が設けられた第１吸収層を有する第１吸収体と、前記第１吸収体の非肌当接面側に配置され、かつ第２吸収層を有する第２吸収体と、を備えており、
前記第１吸収体は、前記第１吸収層よりも前記内方向に配置された第１表面シートと、前記第１吸収層よりも前記外方向に配置された第１裏面シートと、を備えており、
前記第１表面シートと前記第１裏面シートには、前記第１吸収層から前記第２吸収層に向けて液体を導く開口又は切り込みが形成されている、請求項１又は請求項２に記載の吸収性物品。
【請求項５】
前記第２吸収体は、前記第２吸収層の裏面側に配置された液不透過性の第２裏面シートを有しており、
前記第２裏面シートは、前記低目付部よりも幅方向外側に配置された一対のサイド連結部において前記第１吸収体に連結されており、
前記低目付部は、前記吸収体が前記第１方向に沿って前記内方向又は前記外方向に凸に曲がることができるように形成されており、
前記第１吸収層が前記外方向に凸に曲げられた状態で、前記第１吸収層の前記低目付部と前記第２吸収層との間に空間が形成されるように構成されている、請求項３又は請求項４に記載の吸収性物品。
【請求項６】
前記第２裏面シートは、前記幅方向又は前記前後方向に伸長する伸長性を有し、前記第２吸収層が体液を吸収することによって前記幅方向又は前記前後方向に伸長するように構成されている、請求項５に記載の吸収性物品。
【請求項７】
前記第２吸収体の前記一対のサイド連結部間の前記第２方向の長さは、前記第１吸収体の前記一対のサイド連結部間の前記第２方向の長さよりも長い、請求項３から請求項６のいずれかに記載の吸収性物品。
【請求項８】
前記低目付部は、前記吸収体が前記第１方向に沿って前記内方向又は前記外方向に凸に曲がることができるように形成されている、請求項１から請求項４のいずれかに記載の吸収性物品。
【請求項９】
前記低目付部は、
前記吸収体の前記幅方向中央に配置され、かつ前記吸収体が前記前後方向に沿って前記内方向に曲がるように形成された中央低目付部と、
前記中央低目付部よりも前記幅方向外側において、前記吸収体が前記前後方向に沿って前記外方向に凸に曲がることができるように形成されたサイド低目付部と、を有する、請求項８に記載の吸収性物品。
【請求項１０】
前記吸収体を有する吸収性本体と、
前記股下域の前方に配置される前胴回り域及び前記股下域の後方に配置される後胴回り域を有する外装体と、を有し、
前記吸収性本体は、前記股下域を跨ぎ、かつ前記前胴回り域及び前記後胴回り域に跨がって配置される、請求項１から請求項９のいずれかに記載の吸収性物品。
【発明の詳細な説明】
【技術分野】
【０００１】
本発明は、周囲の領域よりも吸収性材料の目付が低い低目付部が形成された吸収体を有する吸収性物品に関する。
【背景技術】
【０００２】
吸収性物品は、着用者の装着感向上や排泄物の漏れ防止を図るため、様々な工夫がなされている。例えば、体液の拡散性を高めたり、着用時に吸収体を変形したりするための溝やスリット（低目付部）を吸収体に形成した吸収性物品が知られている。
【０００３】
例えば、特許文献１には、前後方向に延びる複数の溝が吸収体に形成された吸収性物品が開示されている。特許文献１の吸収体の溝は、吸収体の表面側及び吸収体の裏面側にそれぞれ形成されている。特許文献１の吸収性物品は、吸収体の中央部にて排泄される尿等の排泄液を溝によって前後方向に拡散したり、溝を起点に吸収体を変形させたりする。
【先行技術文献】
【特許文献】
【０００４】
【特許文献１】特許第３６１６０７７号公報
【発明の概要】
【発明が解決しようとする課題】
【０００５】
しかしながら、上述した吸収性物品においては、以下の問題があった。
【０００６】
吸収性物品には、着用時に、着用者の脚によって挟まれることによって幅方向外側から幅方向内側に力が掛かる。このように吸収性物品に幅方向内側に向かう力が掛かると、溝を起点に吸収体が変形したり、吸収体の溝が圧縮されたりする。
【０００７】
特許文献１の溝の幅方向の長さは、それぞれ一定である。幅方向の長さが一定の溝は、吸収性物品に幅方向内側に向かう力が掛かると、溝全体が塞がってしまうことがある。よって、体液の拡散効果や吸収体を変形させる効果を十分に得られないことがある。
【０００８】
そこで、本発明は、着用者から排出された体液の拡散性や吸収体の変形を維持できる吸収性物品を提供することを目的とする。
【課題を解決するための手段】
【０００９】
本発明に係る吸収性物品（使い捨ておむつ１）は、着用者の身体前側と身体後側とに延びる前後方向と、前記前後方向に直交する幅方向と、前記着用者に向かう内方向及び前記内方向と反対側に向かう外方向を有する厚み方向と、着用者の股間部に当てられる股下域に配置され、吸収性材料が積層された吸収体と、を有する吸収性物品であって、前記吸収体には、周囲の領域よりも前記吸収性材料の目付が低い低目付部（サイドスリット１３Ｂ）が、前記前後方向及び前記幅方向の一方である第１方向に沿って設けられており、前記低目付部は、前記第１方向に延びる第１端縁及び第２端縁を有し、前記第１方向に直交する第２方向における前記第１端縁と前記第２端縁の距離は変化しており、前記低目付部は、前記第１端縁と前記第２端縁との距離が相対的に短い短部（短部１３Ｂ）と、前記短部よりも前記第１端縁と前記第２端縁との距離が長い長部（長部１３Ｃ）と、を有し、前記第１端縁と前記第２端縁の少なくとも一方は、前記短部において、前記第１端縁と前記第２端縁の他方に向けて曲線状に突出していることを要旨とする。
【発明の効果】
【００１０】
本開示に係る特徴によれば、着用者から排出された体液の拡散性や吸収体の変形を維持できる吸収性物品を提供することができる。
【図面の簡単な説明】
【００１１】
【図１】実施形態に係る使い捨ておむつ１の概略斜視図である。
【図２】実施形態に係る使い捨ておむつの展開平面図である。
【図３】図２に示すＸ１-Ｘ’１線に沿った使い捨ておむつの幅方向断面図である。
【図４】図２に示すＸ２-Ｘ’２線に沿った使い捨ておむつの前後方向断面図である。
【図５】第２吸収体の展開平面図である。
【図６】図２のＡ部分拡大図である。
【図７】使い捨ておむつ１の着用状態を模式的に示す断面図（図２のＸ１−Ｘ’１線基準）である。
【図８】図６のＺ１-Ｚ’１を基準としたサイドスリットの短部の断面図（変形前）である。
【図９】図６のＺ１-Ｚ’１を基準としたサイドスリットの短部の断面図（変形後）である。
【図１０】図６のＺ２-Ｚ’２を基準としたサイドスリットの長部の断面図（変形前）である。
【図１１】図６のＺ２-Ｚ’２を基準としたサイドスリットの長部の断面図（変形後）である。
【図１２】サイドスリットの変形例を示した図である。
【図１３】開口部や切り欠き部の変形例を示した図である。
【図１４】変形例１に係る吸収性物品の平面図である。
【図１５】図１４に示すＸ３-Ｘ’３線に沿った吸収性物品の幅方向断面図である。
【図１６】変形例２に係る吸収性物品の平面図である。
【図１７】変形例３に係る吸収性物品の平面図である。
【図１８】変形例４に係る吸収性物品の平面図である。
【発明を実施するための形態】
【００１２】
次に、実施の形態に係る吸収性物品としての使い捨ておむつの実施形態について、図面を参照しながら説明する。なお、以下の図面の記載において、同一または類似の部分には、同一または類似の符号を付している。ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれ得る。
【００１３】
（１）使い捨ておむつの全体概略構成
図１は、本実施形態において吸収性物品を構成する使い捨ておむつ１の概略斜視図である。図２は、本実施形態に係る使い捨ておむつ１の展開平面図である。図３は、図２に示すＸ１-Ｘ’１線に沿った使い捨ておむつの幅方向断面図である。図４は、図２に示すＸ２-Ｘ’２線に沿った使い捨ておむつの前後方向断面図である。使い捨ておむつ１は、パンツ型の使い捨ておむつである。なお、以下、図２等の平面図においては、使い捨ておむつを構成する表面シートや外装シート等の皺が形成されない状態まで弾性部材を伸長させた状態の図である。
【００１４】
使い捨ておむつ１は、着用者の身体前側と身体後側とに延びる前後方向Ｌと、前後方向Ｌに直交する幅方向Ｗと、着用者に向かう内方向ＩＮ及び内方向と反対側に向かう外方向ＯＵＴを有する厚み方向Ｔと、を有する。
【００１５】
使い捨ておむつ１は、図２に示すように、使い捨ておむつ１の前後方向Ｌにおいて、着用者の前胴回りに当てられる前胴回り域Ｓ１と、着用者の後胴回りに当てられる後胴回り域Ｓ２と、着用者の股下に当てられ、前胴回り域Ｓ１と後胴回り域Ｓ２との間に位置する股下域Ｓ３と、を有する。
【００１６】
前胴回り域Ｓ１の使い捨ておむつ１の一方の幅方向外側に位置する前胴回り縁部４が、後胴回り域Ｓ２の一方の幅方向外側に位置する後胴回り縁部６と接合され、かつ他方の幅方向外側に位置する前胴回り縁部４’が、他方の幅方向外側に位置する後胴回り縁部６’と接合されることによって、使い捨ておむつ１がパンツ型に形成される。パンツ型の使い捨ておむつの前胴回り域及び後胴回り域には、互いの縁部が接合された接合部３が形成されており、股下域Ｓ３は、接合部３よりも前後方向内側の域である。
【００１７】
使い捨ておむつ１には、図１に示すように、パンツ型に形成された状態で、着用者の腰回りを囲んで配置される腰回り開口部８と、着用者の脚回りを囲んで配置される一対の脚回り開口部９と、が形成される。
【００１８】
使い捨ておむつ１は、吸収性本体１Ａと、外装体１Ｂと、から構成されており、これらは互いに、接着剤や熱融着などによって接合されている。
【００１９】
外装体１Ｂは、着用者の肌当接面側である内方向ＩＮ側に位置する外装表面シート７１と、非肌当接面側である外方向ＯＵＴ側に位置する外装裏面シート７２と、を有する。外装表面シート７１は、前胴回り域Ｓ１に配置される前側外装表面シート７１Ｆと、後胴回り域Ｓ２に配置される後側外装表面シート７１Ｒと、を有する。外装裏面シート７２は、前胴回り域Ｓ１に配置される前側外装裏面シート７２Ｆと、後胴回り域Ｓ２に配置される後側外装裏面シート７２Ｒと、を有する。
【００２０】
外装表面シート７１は、不織布などによって形成される。本実施の形態の実施の外装表面シート７１は、ポリプロピレンからなる目付１５g/m2のSMS不織布が用いられる。外装裏面シート７２は、ポリプロピレンからなる目付17g/m2のスパンボンド不織布が用いられる。外装裏面シートは、使い捨ておむつの前側端部及び後側端部において、外装表面シートの内方向側の面に折り返されている。外装裏面シートの折り返された部分は、ホットメルト接着剤で外装表面シートに接合されている。外装表面シートと外装裏面シートの前後方向における内側端部（股下域側の端部）は、ホットメルト型接着剤によって接合されている。
【００２１】
外装表面シートと外装裏面シートの間には、ウエスト弾性部材７３と、フィット弾性部材７４と、が設けられている。ウエスト弾性部材７３及びフィット弾性部材７４は、幅方向Ｗに伸長した状態で配置されている。ウエスト弾性部材７３及びフィット弾性部材７４は、前胴回り域Ｓ１における使い捨ておむつ１の幅方向Ｗ外側に位置する一方の前胴回り縁部４から他方の前胴回り縁部４’まで連続する。ウエスト弾性部材７３及びフィット弾性部材７４は、後胴回り域Ｓ２における使い捨ておむつ１の幅方向Ｗ外側に位置する一方の後胴回り縁部６から他方の後胴回り縁部６’まで連続する。
【００２２】
ウエスト弾性部材７３は、前側外装表面シート７１Ｆと前側外装裏面シート７２Ｆの間に４本配置され、後側外装表面シート７１Ｒと後側外装裏面シート７２Ｒの間に４本配置されている。フィット弾性部材７４は、ウエスト弾性部材７３よりも前後方向内側に位置する。フィット弾性部材７４は、前側外装表面シート７１Ｆと前側外装裏面シート７２Ｆの間に７本配置され、後側外装表面シート７１Ｒと後側外装裏面シート７２Ｒの間に７本配置されている。ウエスト弾性部材７３は、例えば、太さ940DTEXのスパンデックスであり、３．５倍の伸長率である。フィット弾性部材７４は、太さ７８０DTEXのスパンデックスであり、３．０倍の伸長率である。
【００２３】
ウエスト弾性部材７３及びフィット弾性部材７４は、ホットメルト接着剤で外装表面シートと外装裏面シートの間に伸長した状態で固定される。
【００２４】
なお、外装体１Ｂの構成は、上記に限られない。例えば、外装体は、後側胴周り域から股下域に延出した部位を有する形状であって、後側胴回り域から股下域に架けて伸縮するレッグギャザー弾性部材を有する構成であってもよい。また、外装体の内方向に吸収性本体を配置してもよいし、外装体の外方向に吸収性本体を配置しても。更に、本実施の形態において使い捨ておむつを構成する構成部材の接合方法は、ホットメルト型接着剤による接合のみならず、ニックシールやヒートシールによる接合であってもよい。
【００２５】
吸収性本体１Ａは、股下域Ｓ３を跨ぎ、かつ前胴回り域Ｓ１及び後胴回り域Ｓ２に跨がって配置される。吸収性本体の前側端部及び後側端部は、外装体の内方向側の面に接合されている。なお、吸収性本体は、着脱自在に外装体に接合されていてもよい。例えば、フックとループの係止システムにおける一方を外装体に設け、他方を吸収性本体に設け、吸収性本体を外装体に対して着脱自在に構成してもよい。このように、吸収性本体を外装体に対して着脱自在に構成することにより、吸収性本体のみを容易に着脱できる。
【００２６】
吸収性本体１Ａは、吸収体を有する。吸収体は、第１吸収層を含む第１吸収体１０と、第１吸収体１０よりも外方向に配置され、第２吸収層を含む第２吸収体２０と、を備える。吸収体は、少なくとも股下域に配置されていればよい。吸収体は、股下域と前胴回り域に跨がっていてもよいし、股下域と後胴回り域に跨がっていてもよいし、前胴回り域、股下域及び後胴回り域に跨がっていてもよい。
【００２７】
（２）第１吸収体の構成
次いで、第１吸収体の構成について説明する。第１吸収体１０は、液透過性の第１表面シート１１と、少なくとも一部が液透過性の第１裏面シート１２と、第１表面シート１１と第１裏面シートとの間に配置された第１吸収層１３と、第１吸収層１３等の幅方向側部を覆うサイド防漏シート１４と、サイド防漏シートを覆うサイドカバーシート１５と、サイド防漏シート１４とサイドカバーシート１５との間に配置されたサイド弾性部材１６と、第１吸収層の幅方向中央に配置された弾性部材カバーシート１８と、第１裏面シート１２と弾性部材カバーシート１８との間に配置された中央弾性部材１７と、第１表面シート１１と第１吸収層１３との間に配置された補助シート１９と、を有する。
【００２８】
第１表面シート１１は、着用者の肌に直接的に接し得る肌当接面を形成するシートである。第１表面シート１１は、第１吸収層１３よりも肌当接面側に配置される。第１表面シート１１は、親水性不織布や織物、開口プラスチックフィルム、開口疎水性不織布などの液透過性のシートによって形成されている。本実施の形態の第１表面シート１１は、PP(ポリプロピレン)からなる目付18g/m2の親水性スパンボンド不織布が用いられる。
【００２９】
第１裏面シート１２は、第１吸収層１３の外方向ＯＵＴ側（非肌当接面側）に設けられている。第１裏面シート１２は、親水性不織布や織物、開口プラスチックフィルム、開口疎水性不織布などの液透過性のシートによって形成されている。本実施の形態の第１表面シート１１は、PP(ポリプロピレン)からなる目付1１g/m2の親水性ＳＭＳ不織布が用いられる。
【００３０】
第１吸収層１３は、粉砕パルプや高吸収性ポリマー（以下、ＳＡＰとする）などの混合粉体と、この混合粉体を包むコアラップと、で形成される。第１吸収層１３は、熱可塑性繊維(短繊維,長繊維,連続)や発泡ポリウレタンを含んでいてもよい。本実施形態の第１吸収層１３は、目付200g/m2のパルプ、目付100g/m2のＳＡＰによって構成され、その厚みは、2.2mmである。第１吸収層１３の構成は、これに限定されず、パルプ等の目付や厚みを適宜変更できる。より詳細には、パルプの目付を50〜500g/m2に設定し，SAPの目付を0〜500g/m2に設定できる。また、第１吸収層１３は、複数層で構成されていてもよいし、エアレイドシートによって構成されていてもよい。また、第１吸収層１３は、コアラップを有していなくてもよい。
【００３１】
また、第１吸収層１３のＳＡＰの目付けを高くし過ぎると、第１吸収層１３が体液を吸収した際に、後述するサイドスリット１３Ｂが塞がることがあり、第１吸収体から第２吸収体に向けて体液を導くことができないことがある。よって、第１吸収層１３のＳＡＰの目付けは、２００ｇ/ｍ２以下であることが望ましい。
【００３２】
第１吸収層１３は、略略砂時計型の形状である。第１吸収層１３の形状は、当該形状に限られず、長方形であってもよいし、股下域の少なくとも一部に幅方向内側にくびれたくびれ部を有する形状であってもよい。
【００３３】
第１吸収層１３の股下領域の幅方向中央には、中央低目付部としての中央スリット１３Ａが形成され、中央スリット１３Ａよりも幅方向外側には、サイド低目付部としての一対のサイドスリット１３Ｂが形成されている。中央スリット１３Ａは、第１吸収層１３が内方向ＩＮに凸に曲がることができるように形成されている。サイドスリット１３Ｂは、第１吸収層が外方向ＯＵＴに曲がることができるように形成されている。なお、本発明の低目付部は、周囲の領域よりも吸収性材料（パルプやＳＡＰ）の目付が低い部分であり、目付０の部分を含む概念である。
【００３４】
サイドスリット１３Ｂ及び中央スリット１３Ａは、前後方向に沿って配置されている。第１吸収層１３に形成されたスリット等によって、使い捨ておむつ１が着用された際に、第１吸収体１０が曲がるように構成されている。サイドスリット１３Ｂについては、後述にて詳細に説明する。
【００３５】
中央スリット１３Ａの幅方向の長さは、１２ｍｍである。サイドスリット１３Ｂの前後方向の長さは、１２０ｍｍである。例えば、中央スリットの幅方向の長さが短すぎると、中央スリットを介して第１吸収層が曲がり難くなる。一方、中央スリットの幅方向の長さが長すぎると、第１吸収層の吸収面積が少なくなり、体液の漏れに影響を及ぼすことがある。また、中央スリットの前後方向の長さが短すぎると、中央スリットを介して第１吸収層が曲がり難くなる。中央スリットの前後方向の長さが長すぎると、お尻側の空間や第１吸収層の吸収面積が少なくなり、多量の尿が排出された際に一時的に貯水し難くなり、体液の漏れに影響を及ぼすことがある。このような観点から、中央スリット１３Ａの幅方向の長さは、３〜２５mmであることが好ましく、中央スリット１３Ａの前後方向の長さは、７０〜３００mmであることが好ましい。
【００３６】
中央弾性部材１７は、厚み方向Ｔにおいて中央スリット１３Ａに重なるように配置されている。中央弾性部材１７は、第１吸収層１３の幅方向中央部が内方向ＩＮに凸、つまり、第１吸収層１３が着用者に向けて凸に曲がるように、前後方向Ｌに沿って第１吸収層１３に重なって配置されている。中央弾性部材１７は、例えば、スチレン−ブタジエン、ブタジエン、イソプン等の合成ゴムや、天然ゴム、伸縮性ポリオレフィン、スパンデックス、発泡ウレタン、伸縮不織布などによって構成される。本実施の形態の中央弾性部材１７は、スパンデックス６２０ｄｔｅｘ、２．０倍の伸張率である。本実施の形態の中央弾性部材１７は、５本配置されており、前後方向の長さは、１２０ｍｍである。
【００３７】
中央弾性部材１７の前後方向の長さが短すぎると、第１吸収層１３を着用者側に曲げる効果や、第１吸収層１３を着用者の排泄口に押し当てる効果を十分に得ることができない。一方、中央弾性部材１７の前後方向の長さが長すぎると、中央スリットと同様に、体液を貯水する空間を形成し難くなる。また、中央弾性部材１７が男性性器に当る位置まで前方に延び過ぎると、装着違和感がでてしまう。このような観点から、中央弾性部材１７の前後方向の長さ、50〜250mmの範囲であることが好ましい。
【００３８】
弾性部材カバーシート１８は、第１裏面シート１２の非肌当接面側に配置されている。弾性部材カバーシート１８と第１裏面シート１２との間に中央弾性部材が伸長固定されている。本実施の形態の弾性部材カバーシート１８は、目付10g/m2の親水性のSMS不織布である。
【００３９】
なお、本実施の形態の第１吸収体は、第１吸収層１３に形成されたサイドスリット１３Ｂ及び中央スリット１３Ａによって、外方向及び内方向に第１吸収層１３が曲がるように構成されているが、他の構成によって第１吸収層１３が曲がるように構成されていてもよい。例えば、第１吸収層において周囲の第１吸収層の目付よりも低い目付である低目付域によって構成されていてもよい。
【００４０】
サイド防漏シート１４、サイドカバーシート１５及びサイド弾性部材１６は、吸収体の横漏れを防ぐ防漏カフを構成する。なお、本実施の形態では、防漏カフを第１吸収体に設けているが、この構成に限られない。例えば、第１吸収体に防漏カフを設けずに、第２吸収体２０に防漏カフを設けてもよいし、第１吸収体と第２吸収体２０の両方に防漏カフを設けてもよい。
【００４１】
サイド防漏シート１４は、第１吸収層１３等の幅方向側部を覆う液不透過性のシート材である。サイド防漏シート１４の幅方向の一端は、第１表面シートの肌当接面側に配置され、他端は、第１裏面シートの非肌当接面側に配置されている。サイド防漏シート１４は、液不透過性フィルムなど（例えば、ポリエチレン）のシートによって形成される。本実施の形態のサイド防漏シート１４は、通気性を有するポリエチレンからなる目付 20g/m2のフィルムシートを用いた。
【００４２】
サイドカバーシート１５は、サイド防漏シート１４を覆う液不透過性のシート材である。サイドカバーシート１５の幅方向の一端は、サイド防漏シート１４の肌当接面側に配置され、他端は、サイド防漏シート１４の非肌当接面側に配置されている。サイドカバーシート１５は、疎水性の不織布によって形成される。本実施の形態のサイドカバーシート１５は、ポリプロピレンからなる目付15g/m2のSMS不織布を用いた。
【００４３】
サイド弾性部材１６は、前後方向に伸長された状態で配置されており、伸縮性部材を構成する。サイド弾性部材１６は、第１吸収層１３の非肌当接面側の両側部に配置されている。サイド弾性部材１６は、サイド防漏シート１４とサイドカバーシート１５との間にホットメルト型接着剤を介して伸長固定されている。本実施の形態のサイド弾性部材１６は、スパンデックス780dtex、3.0倍の伸張率であり、片側2本ずつ配置されている。
【００４４】
サイド弾性部材１６の前側端部は、第１吸収層１３の前側端部近傍まで延び、サイド弾性部材１６の後側端部は、第１吸収層１３の幅が最も広くなる最大幅付近まで延びる。このように構成された防漏カフは、サイド弾性部材１６と第１吸収層１３の幅方向端部との間の部分が着用時には上方に起立し、体液の漏れを防ぐことができる。
【００４５】
補助シート１９は、第１吸収層１３の中央部（中央スリットと重なる部分）に配置されている。補助シート１９は、エアスルー不織布や開孔フィルムを用いることができる。本実施の形態の補助シート１９は、親水性の目付30g/m2のエアスルー不織布品を用いた。補助シート１９を設けることにより、体液の吸収スピードを速くでき、かつリウェット性(吸収後の液逆戻り)を抑制することができる。より詳細には、補助シート１９によって体液を瞬間的に引き込み、表面シート上の液流れを抑え、速やかに体液を第２吸収層２３へと移行し、拡散できる。
【００４６】
第１表面シート１１及び第１裏面シート１２には、それぞれ複数の切り込み部１１Ｄ、１２Ｄが形成されている。切り込み部１１Ｄ、１２Ｄは、第１表面シート１１及び第１裏面シート１２をそれぞれ貫通している。切り込み部１１Ｄ、１２Ｄは、サイドスリット１３Ｂと重なる部分に形成されている。切り込み部１１Ｄ、１２Ｄは、着用時に吸収体が変形した際に、開口するように構成されている。切り込み部１１Ｄ、１２Ｄを設けることで、外方向側に凸状に変形するサイドスリット１３Ｂに流れた排泄物を、第２吸収体へスムーズに移行させることができる。
【００４７】
切り込み部１１Ｄ、１２Ｄは、第１表面シートと第１裏面シートを貼り合わせて一体化した後に、第１表面シートと第１裏面シートの両方に切り込みを形成し、貫通する切り込み部１１Ｄ，１２Ｄとしてもよい。または、切り込み部１１Ｄ、１２Ｄは、第１表面シートと第１裏面シートを貼り合せる前に、第１表面シートと第１裏面シートのそれぞれに切り込み部（別々の形状であってもよい）を形成し、その後、第１表面シートと第１裏面シートを貼り合せてもよい。または、切り込み部１１Ｄ、１２Ｄは、第１表面シートと第１裏面シートのいずれか一方に設けられていてもよい。また、切り込み部１１Ｄ、１２Ｄについては、後述にて詳細に説明する。
【００４８】
（３）第２吸収体の構成
次いで、第２吸収体２０の構成について説明する。図５は、第２吸収体２０の展開平面図である。第２吸収体２０は、第２表面シート２１と、第２吸収層被覆シート２２と、第２表面シート２１と第２吸収層被覆シート２２の間に配置された第２吸収層２３と、第２吸収層の外方向に配置された拡散シート２４と、拡散シートの外方向に配置された第２防漏シート２５と、第２裏面シート２６と、を有する。
【００４９】
第２吸収体２０は、サイドスリット１３Ｂよりも幅方向外側に配置された一対のサイド連結部３１と、サイドスリット１３Ｂよりも前後方向外側に配置された一対の幅連結部３２において第１吸収体に連結されている。サイド連結部３１は、前後方向に沿って配置されている。サイド連結部３１は、サイドスリット１３Ｂよりも幅方向外側にそれぞれ設けられている。サイド連結部３１の間において第１吸収体と第２吸収体は、接合されてなく分離している。
【００５０】
一対のサイド連結部間の第２吸収体の幅方向の長さは、一対のサイド連結部間の第１吸収体の幅方向の長さよりも長い。当該長さの測定は、使い捨ておむつの製品幅方向中心線に対して直交する幅方向に沿って製品を切断し、その切口の断面にて、第２吸収体の表面シート側におけるサイド連結部間（サイド連結部の幅方向内側同士）の距離及び第１吸収体の裏面シート側におけるサイド連結部間（サイド連結部の幅方向内側同士）の距離をメジャーや定規を用いて測定する。このとき、第２吸収体を製品外方向に、皺なく伸ばした状態で測定する。
【００５１】
幅連結部３２は、幅方向に沿って配置されている。幅連結部３２は、サイドスリット１３Ｂよりも前後方向外側にそれぞれ設けられている。幅連結部３２の間において、第１吸収体１０と第２吸収体２０は、接合されてなく分離している。サイド連結部３１と幅連結部３２とは、図５に示す展開状態では、離間しているが、第２吸収体２０が折り畳まれた状態で連なって配置されるように構成されている。
【００５２】
また、幅連結部３２は、必ずしも設けられていなくてもよい。幅連結部３２を設けない形態では、第２吸収体２０が展開し易くなり、第１吸収体１０と第２吸収体２０の間に空間が形成され易くなる。第２吸収体の前側端部は、特に女性の着用者では体液が到達することが少ない。また、第２吸収体の後側端部は、寝姿勢などにおいて体圧がかかり、第１吸収層１３から第２吸収層２３に体液が浸透して移行するため、体液が漏れるおそれが少ない。よって、幅連結部３２を設けない形態にあっても、体液の漏れを抑制できる。
【００５３】
また、第１吸収層１３がサイドスリット１３Ｂを介して外方向に凸に曲げられ、かつ第１吸収層１３が中央スリット及び中央弾性部材を介して内方向に凸に曲げられた状態で、第１吸収体のサイドスリット１３Ｂと第２吸収層２３との間に空間が形成されるように構成されている。
【００５４】
図３に示すように、第２吸収体２０は、前後方向Ｌに沿った折り目を基点に折り畳まれている。第２吸収体２０の幅方向両端部は、それぞれ第１吸収体１０の幅方向両端部にサイド連結部３１を介して接合され、サイド連結部３１よりも幅方向内側において第１折り目ＦＬ１を基点に幅方向外側に向かって折り返されている。第１折り目ＦＬ１を基点に折り返された第２吸収体２０は、サイド連結部３１よりも幅方向外側において第２折り目ＦＬ２を基点に幅方向外側から幅方向内側に向かって折り返されている。第２折り目は、第２吸収層２３においてＳＡＰが配置されていないＳＡＰ非配置領域２３Ａに一致する。よって、第２吸収体２０は、第１吸収体１０に対してたくれ部を有しており、第２吸収体２０が展開することにより、第２吸収体２０が袋状に変形する。
【００５５】
また、第２吸収体が展開した状態において、第１折り目ＦＬ１と第２折り目ＦＬ２との間には、第２吸収体同士を接合する接合部３５が設けられている。接合部は、第２吸収体２０の前端部から第２吸収層２３の前端部に跨がって配置され、かつ第２吸収体２０の後端部から第２吸収層２３の後端部に跨がって配置されている。
【００５６】
なお、本実施の形態の第２吸収体２０の第２折り目ＦＬ２は、幅方向において、サイドスリットとほぼ同じ位置であるが、この構成に限られず、サイドスリットよりも幅方向内側であってもよいし、サイドスリットよりも幅方向外側の位置であってもよい。例えば、第２折り目ＦＬ２を着用者が足で内側に挟み込むことで、左右の第２折り目ＦＬ２の間の第２吸収層が、外方向に膨らむ。それによって第２折り目ＦＬ２と第１吸収層との間が広がりやすくなり、第１吸収体との間に空間を形成しやすくなる。
【００５７】
本実施の形態に係る第２吸収層２３の幅方向の長さは、２４０ｍｍであり、前後方向の長さは、４００ｍｍである。また、図５に示す展開状態における第２吸収体２０の幅方向の長さは、第１吸収体１０と同じ、又は、第１吸収体１０よりも長い。具体的には、本実施の形態に係る第２吸収体２０の幅方向の長さは、２８０ｍｍであり、第２吸収体２０の前後方向の長さは、５００ｍｍである。第２吸収体２０及び第２吸収層２３の寸法は、上記寸法に限定されず、随時調整できる。
【００５８】
第２表面シート２１及び第２吸収層被覆シート22は、それぞれ親水性不織布や織物、開口プラスチックフィルム、開口疎水性不織布などの液透過性のシートによって形成される。本実施形態の第２表面シート２１及び第２吸収層被覆シート22は、ポリプロピレンからなる目付10g/m2の親水性SMS不織布を用いた。
【００５９】
第２吸収層２３は、第２表面シート２１と第２吸収層被覆シート２２によって挟まれたＳＡＰから構成される。第２吸収層２３の幅方向の長さは、240mmであり、第２吸収層の前後方向の長さは、400mmである。本実施形態の第２吸収層２３は、ＳＡＰの１ピースあたりの重量が１５gである。吸収倍率30倍のＳＡＰを用いた場合は、第２吸収層によって約450gの尿を吸収可能となる。吸収量400g以上の高吸収量タイプの吸収性物品においては、本実施の形態に係る使い捨ておむつを好適に適用できる。
【００６０】
第２吸収層２３には、ＳＡＰ非配置領域２３Ａが設けられており、ＳＡＰが配置された領域の幅方向の長さは、２２４ｍｍである。ＳＡＰが配置された領域の前後方向の長さは、４００ｍｍである。ＳＡＰの目付は、１６７g/m2である。
【００６１】
ＳＡＰの目付は、20〜550g/m2が好ましい。ＳＡＰの目付が低すぎると、配置面積における吸収メリットが少なく、ＳＡＰの目付が高すぎると、ＳＡＰが十分に膨れることができず、吸収効率が悪く(吸収倍率が低く)なる。対象とする使用者の排泄量や排泄スピードによって、第２吸収体の寸法や第２吸収層の吸収容量等を調整でき、一気に多量の排泄物を貯水する場合には、第２吸収体の寸法を大きくすることが好ましい。
【００６２】
第２吸収層２３は、部分的に配置されていてもよい。SAPは、股下域に間欠的に配置されていてもよく、特に第１吸収体１０のサイドスリット１３Ｂに対応する位置に配置されていることが望ましい。
【００６３】
第２吸収層２３の構成は、これに限定されず、ＳＡＰの目付を適宜変更でき、またパルプを含んでいてもよい。また、第２吸収層２３は、吸収スピードの異なる２種類以上のＳＡＰをブレンドしてもよい。また、第２吸収層２３は、熱可塑性繊維(短繊維,長繊維,連続) や発泡ポリウレタンを含んでいてもよいし、エアレイドシートによって構成されていてもよい。
【００６４】
本実施の形態の使い捨ておむつは、第２吸収体が第１吸収体に対して膨らんだ袋状の構造であり、第１吸収体と第２吸収体の間にできる空間に一時的に排泄物を貯めることができる。よって、第２吸収層２３をＳＡＰのみで構成し、第２吸収層２３の吸収スピードが遅い場合であっても、当該袋に一時的に排泄物を貯め、徐々に体液を吸収保水していくことができる。第２吸収層２３をＳＡＰのみで構成することにより、第２吸収体２０を薄くでき、装着時の違和感を軽減できる。
【００６５】
第２吸収層２３には、ＳＡＰが配置されていないＳＡＰ非配置領域２３Ａが設けられている。ＳＡＰ非配置領域は、前後方向に延びる領域であり、第２折り目に重なっている。ＳＡＰ非配置領域２３Ａの幅方向の長さは、８ｍｍであり、ＳＡＰ非配置領域２３Ａの前後方向の長さは、４００ｍｍである。ＳＡＰ非配置領域２３Ａは、左右一対で設けられている。ＳＡＰ非配置領域２３Ａにおいて、第２表面シート２１と第２吸収層被覆シート２２は、ホットメルト型接着剤を介して接合されている。
【００６６】
第２折り目ＦＬ２に重なるようにＳＡＰ非配置領域を設けることにより、第２吸収体が第２折り目において折り曲がりやすくなる。更に、ＳＡＰ非配置領域２３Ａを設けることにより、第２吸収層に流入した体液を前後方向に拡散させ易くなる。第２吸収層２３がパルプとＳＡＰを含む形態においては、ＳＡＰ非配置領域の代わりに、第２吸収層２３にエンボス又はスリットを形成して、第２吸収層２３を曲げやすくしてもよい。更に、第２吸収層２３の第１折り目に重なる領域にも、ＳＡＰ非配置領域を設けてもよい。
【００６７】
拡散シート２４は、第２吸収層被覆シート２２の外方向に配置されている。拡散シート２４は、第２吸収層被覆シート２２と第２防漏シート２５の間に配置されている。拡散シートの幅方向の長さは、第２吸収層の幅方向の長さとほぼ同じである。拡散シート２４は、第２吸収層２３に移行した排泄物を前後方向及び幅方向に拡散し、第２吸収層のより全体で排泄物を吸収するように機能する。本実施の形態の拡散シート２４は、目付16g/m2のティッシュを用いた。ティッシュのパルプ繊維による毛細管現象により、効果的に液を拡散できる。
【００６８】
第２防漏シート２５は、拡散シート２４と第２裏面シート２６の間に配置される。第２防漏シート２５は、液不透過性フィルムなど（例えば、ポリエチレン）のシートによって形成される。本実施の形態の第２防漏シート２５は、通気性を有する目付20g/m2のポリエチレンのフィルムシートを用いた。
【００６９】
第２裏面シート２６は、第２防漏シート２５よりも外方向に配置され、使い捨ておむつの外側表面に配置される。第２裏面シート２６は、不織布からなり、布地のような見た目と布地のような触感を実現するために設けられている。なお、第２裏面シート２６は、必ずしも設けられていなくてもよい。本実施の形態の第２裏面シート２６は、疎水性の目付１３g/m2のSMS不織布品を用いた。第２裏面シート２６の前後方向の端部は、外装体の内方向側の面に接合されている。
【００７０】
第２吸収体の前後方向の長さは、第１吸収体の前後方向の長さと同じであってもよいし、第１吸収体の前後方向の長さよりも長くてもよいし、第１吸収体の前後方向の長さよりも短くてもよい。
【００７１】
（４）サイドスリットの構成
次いで、第１吸収層に形成されたサイドスリット１３Ｂについて詳細に説明する。サイドスリット１３Ｂは、中央スリット１３Ａよりも幅方向外側に形成されている。着用時には、サイドスリット１３Ｂを基点として、第１吸収層１３が非肌側に凸状に屈曲する。幅方向においてサイドスリット１３Ｂの間に位置する第１吸収層１３は、中央弾性部材１７の収縮によって内方向に凸状に起立する。更に、サイドスリット１３Ｂよりも幅方向外側の第１吸収層１３は、サイド弾性部材１６の収縮によって肌方向に起立する。これによって、第１吸収層１３は、規則的に変形し、違和感なく身体にフィットする。
【００７２】
サイドスリット１３Ｂは、周囲の領域よりも吸収性材料の目付が低く構成されていればよく、第１吸収層に形成されたスリットのみならず、第１吸収層において、周囲の第１吸収層の目付よりも低い目付である低目付領域であってもよい。
【００７３】
本実施形態のサイドスリット１３Ｂは、平面視にて略長方形であり、サイドスリット１３Ｂの角は、曲線状である。サイドスリット１３Ｂの前後方向の長さ１６０mmである。サイドスリット１３Ｂの前後方向の長さが長すぎると、サイドスリット１３Ｂよりも幅方向外側の第１吸収層１３の起立長さが長くなる。サイドスリット１３Ｂの後側では、吸収体の幅方向の長さが短くなり、吸収体の幅方向端部側から漏れ易くなってしまう。サイドスリットの前後方向の長さが短すぎると、起立性が悪くなり、横漏れし易くなる。本実施の形態のサイドスリット１３Ｂは、着用時に足によって挟まれ、幅方向に圧縮される力が加わっても、体液の拡散等に有効な幅を維持して、排泄物を効率的に吸収させることができ、かつ排泄吸収後も、吸収体を規則的に変形させる機能を維持できるように構成されている。
【００７４】
当該機能を実現するために、サイドスリット１３Ｂの幅方向の長さは、一定でなく、第１方向である前後方向において変化している。サイドスリットの幅方向端部である第１端縁１３１と第２端縁１３２は、前後方向に延びる。サイドスリットの第１端縁１３１は、サイドスリットの幅方向両端部のうち幅方向内側に位置する。サイドスリットの第２端縁１３２は、第１端縁１３１よりも幅方向外側に位置する。第１端縁１３１は、前後方向に沿った直線状である。第２端縁１３２は、前後方向に延びる波状である。第２端縁１３２は、幅方向内側（第２端縁側）に向かって突出する突出部と、幅方向外側に向かって突出する突出部とが、交互に配置されている。
【００７５】
サイドスリット１３Ｂを挟んで配置される（幅方向に対向して配置される）第１吸収層の一対の壁面は、第１端縁１３１と第２端縁１３２にそれぞれ対応しており、平行に配置されていない。対向する第１吸収層の壁面のうち、幅方向内側に位置する壁面は、第１端縁１３１に対応しており、前後方向に延びる直線状である。一方、対向する第１吸収層の壁面のうち、幅方向外側に位置する壁面（サイドスリットを挟んで配置される第１吸収層の一方の壁面）１３Ｅ（図３及び図６）は、第２端縁１３２に対応しており、平面視において波状である。よって、サイドスリット１３Ｂの幅方向の長さは、変化する。
【００７６】
サイドスリット１３Ｂは、サイドスリット１３Ｂの幅方向の長さが相対的に短い短部１３Ｃと、サイドスリット１３Ｂの幅方向の長さが短部１３Ｃの幅方向の長さよりも長い長部１３Ｄと、を有する。長部と短部は、サイドスリットを前後方向に区画した部分であり、長部と短部とが前後方向に交互に設けられる。短部１３Ｃは、第１端縁１３１と第２端縁１３２の一方が、他方に向けて曲線状に突出している部分を含む区画であり、本実施の形態では、第２端縁１３２が第１端縁１３１側に突出する部分を含む区画である。図６に、図２のＡ部分の拡大図を示す。短部は、曲線状である。サイドスリット１３Ｂの第２端縁１３２は、短部において幅方向内側に凸状の円弧形状である。
【００７７】
短部は、対向する第１吸収層の壁面のうち、幅方向外側に位置する壁面１３Ｅが、幅方向内側に突出した部分を含む一定の範囲である。なお、短部は、第２端縁が幅方向内側に突出し、前後方向に隣接する長部よりもサイドスリットの幅方向の長さが短く構成されていればよく、短部におけるサイドスリットの幅方向の長さは、一定でなくてもよい。例えば、一の短部における第２端縁の第１端縁側への突出位置と、他の短部における第２端縁の第１端縁側への突出位置と、が異なっていてもよい。
【００７８】
サイドスリット１３Ｂの最も幅方向の長さが長い部分の幅方向の長さ（全幅）は、２０mmである。サイドスリット１３Ｂの最も幅方向の長さが短い部分（短部）の幅方向の長さは、５ｍｍである。なお、サイドスリット１３Ｂの幅方向の長さは、上記構成に限定されない。例えば、サイドスリット１３Ｂの全幅は、１０〜５０ｍｍ、サイドスリット１３Ｂの短部の幅方向の長さは、１〜１５mmとすることができる。サイドスリット１３Ｂの前後方向の長さは、７０〜２５０mmとすることができる。
【００７９】
また、サイドスリット１３Ｂの短部から３ｍｍ幅方向外側であって、前後方向に延びる仮想線Ｖ１における第１吸収層１３の前後方向の長さＰとし、サイドスリット１３Ｂの幅方向の長さが最も長い最大幅位置から３ｍｍ幅方向内側であって、前後方向に延びる仮想線Ｖ２におけるサイドスリット１３Ｂの前後方向の長さＱとすると、Ｑは、Ｐ以上であることが好ましい。
【００８０】
Ｑ≧Ｐであることによりサイドスリットの面積を大きくでき、サイドスリットの性能（体液拡散性、規則的変形のための屈曲性）を発揮し易くなる。
【００８１】
また、サイドスリット１３Ｂの短部から３ｍｍ幅方向外側であって、前後方向に延びる仮想線Ｖ３上の第１吸収層１３の前後方向の長さをＡとし、当該仮想線Ｖ３上のサイドスリット１３Ｂの前後方向の長さをＢとすると、Ａ＜Ｂであることが好ましい。全て、Ａ<Ｂの関係となっているここで、A≧Bとなってしまうと、サイドスリットの容積を確保し難くなり、サイドスリットの機能を発揮しにくくなる。
【００８２】
（５）切り込み部の構成
第１表面シートの切り込み部１１Ｄの形状と、第１裏面シートの切り込み部１２Ｄの形状は、同じ形状を採用することができるため、以下、説明の便宜上、第１表面シートの切り込み部１１Ｄを挙げて説明する。
【００８３】
切り込み部１１Ｄは、前後方向に並んで複数形成されている。複数の切り込み部１１Ｄは、隣接する切り込み部１１Ｄと離間しており、切り込み部１１Ｄと切り込み部１１Ｄの間には、第１表面シートが切断されていない領域が存在する。各切り込み部１１Ｄは、各シートに形成された切り込みである。なお、切り込み部１１Ｄは、着用前の状態で切断されていてもよいし、ミシン目等において着用前の状態で切断されずに、着用時に分離可能に構成されていてもよい。
【００８４】
切り込み部１１Ｄは、幅方向に延びる傾斜部を有しており、幅方向又は前後方向に往復する形状である。具体的には、各切り込み部の前側端部及び後側端部は、各切り込み部の幅方向内側に位置する。各切り込み部の前後方向中央は、各切り込み部の幅方向外側に位置する。当該各切り込み部は、幅方向外側に突出する凸形であり、幅方向に往復する部分を有する。
【００８５】
また、第１表面シート１１は、液透過性のシートであるため、当該第１表面シート１１の下方に位置する第１吸収層１３に、体液を透過させることができる。第１吸収体は、装着時にサイドスリット１３Ｂを基点に外方向に凸状に変形するため、第１表面シートのサイドスリット１３Ｂと重なる位置に体液が流れ込み易い。サイドスリット１３Ｂに重なるように第１表面シート１１に切り込み部１１Ｄを形成することにより、第１表面シート１１の切り込み部を介して、第１吸収層に体液をより円滑に導くことができる。
【００８６】
第１裏面シート１２は、液透過性のシートであるため、当該第１裏面シート１２の下方に位置する第２吸収体２０に、体液を透過させることができる。第１吸収体は、装着時にサイドスリット１３Ｂを基点に外方向に凸状に変形し、第１裏面シートのサイドスリット１３Ｂと重なる位置において体液が流れ込み易い。また、サイドスリット１３Ｂに重なるように、第１裏面シート１２に切り込み部１２Ｄを形成することにより、第１裏面シートの切り込み部を介して、第２吸収体２０に体液をより円滑に導くことができる。
【００８７】
本実施の形態の切り込み部は、直径７．５mmの半円形であり、中心点間13mmピッチで前後方向に直線的に配置した。切り込み部の大きさや形状はこれに限定されるものではなく、長丸や四角形等でもよく、また、くり抜かれた開口部であってもよい。また、切り込み部は、サイドスリット１３Ｂに重なって配置されていなくてもよい。
【００８８】
しかし、第１裏面シート１２が不液透過性のシートであって、切り込み部や開口部を介して体液を下方に移行させる場合は、切り込み部や開口部は、サイドスリット１３Ｂに重なる位置、またはサイドスリット１３Ｂの近傍に配置する。このように切り込み部や開口部を設けることにより、第１裏面シートが不液透過性のシートの場合において切り込み部や開口部を介して第２吸収体２０に体液を円滑に移行できる。
【００８９】
また、開口部の場合には、開口部の周縁が口開きしないように、開口部の周囲において第１表面シートと第１裏面シートを接合することが望ましい。例えば、第１表面シート又は第１裏面シートに接着剤を塗工してプレスすることにより、第１表面シートと第１裏面シートを強固に接合することが望ましい。又は、第１表面シートと第１裏面シートの開口部の周縁部を熱シールしてもよい。
【００９０】
（６）着用時の変形態様
次いで、着用時の使い捨ておむつの変形態様について説明する。図６は、使い捨ておむつ１の着用状態を模式的に示す断面図（図２のＸ１−Ｘ’１線基準）である。図６に示すように、使い捨ておむつ１が着用されると、サイドスリット１３Ｂを基点として第１吸収体１０が外方向に凸に曲がり、かつ中央スリット１３Ａ及び中央弾性部材を基点として第１吸収体が内方向に凸に曲がる。更に、サイド弾性部材１６によって第１吸収体１０の幅方向両端部が上方に変形する。
【００９１】
使い捨ておむつ１の幅方向Ｗに沿った断面形状は、波状に変形する。よって、吸収体４０の股下域Ｓ３は、規則的に折り畳まれた状態となる。第１吸収層が外方向に凸に曲げられた状態で、第１吸収体のサイドスリット１３Ｂと第２吸収体との間に空間が形成され、かつ第１吸収層が内方向に凸に曲げられた状態で、第１吸収体の中央スリット及び中央弾性部材と第２吸収体との間に空間が形成される。この結果、第２吸収体２０が、第１折り目及び第２折り目を基点に展開し、サイドスリット１３Ｂの下方に第２吸収体２０が袋状に配置される。
【００９２】
また、中央弾性部材１７の収縮によって、使い捨ておむつの股下域における中央スリット１３Ａ及び中央弾性部材１７が設けられた部分を、肌に密着し続けることができる。一方、第２吸収体は、第１吸収体と完全に一体化されていないため、排泄後に重くなった場合には、第１吸収体と同じように変形せず、袋状となって第1吸収体の外方向（非肌側）に配置される。
【００９３】
図７に示す断面における使い捨ておむつの上部が、着用者の排泄口に対して当接する。使い捨ておむつの上部は、第１吸収体が折り畳まれており、当該上部の厚みは、第１吸収体の４層分である。具体的には、第１吸収体の１層の厚みが２．２ｍｍであり、４層分の厚みは、８．８ｍｍである。使い捨ておむつの上部が、第１吸収体のみからなり、その厚みが薄いため、着用者の股間に密着し易くなる。例えば、使い捨ておむつの上部の厚みが厚すぎると、着用者の股下に使い捨ておむつが収まり難く、使い捨ておむつが排泄口から離れ易くなる。使い捨ておむつが排泄口から離れると、排泄速度の遅い尿が肌表面を伝ってしまうことがある。着用者の股下に使い捨ておむつをコンパクトに配置する観点において、使い捨ておむつの上部の厚みは、15mm未満であればよく、12mm以下であればより好適である。
【００９４】
一方、第１吸収体のサイドスリット１３Ｂの周囲は、着用者と離れる外方向ＯＵＴ側に位置する。排泄物は、サイドスリット１３Ｂに流入し、第１裏面シートの切り込み部１２Ｄを介して第２吸収体に移行する。排泄物は、第１吸収体と第２吸収体の間の空間に貯留され、徐々に第２吸収層のＳＡＰで吸収される。また、第２吸収層２３によって体液を吸収することにより、ＳＡＰが膨らむ。第２吸収層２３は、第１吸収層１３と比較して着用者から離れており、厚みが大きくなることによる装着感への影響が少ない、よって、第１吸収層１３よりも第２吸収層にＳＡＰを多く配置することが好ましい。
【００９５】
体液を吸収した後にも、第１吸収体が断面視にてW字状の変形を維持し、第２吸収体がサイド連結部３１間で袋状になって外方向側に膨らむ。よって、体液を吸収した後の使い捨ておむつの幅方向の断面において、使い捨ておむつの形状は、略三角形となり、内方向が外方向よりも厚みが薄い。使い捨ておむつの形状が略三角形であるため、着用者の股下に配置し易くなる。
【００９６】
第２吸収体は、第１吸収層よりもＳＡＰの比率が高い第２吸収層を有する。第２吸収層は、体液の吸収前の状態で、その厚みが薄く、身体にフィットし易い。一方、第２吸収層２３は、体液の吸収後の状態で、その厚みが厚くなる。しかし、第２吸収層２３は、体液の吸収後の状態で、着用者から離れて配置されるため、着用者の装着違和感を抑えることができる。
【００９７】
また、第１吸収体１０と第２吸収体２０が完全に一体化されていないため、第１吸収体１０と第２吸収体２０の間にＳＡＰが膨らむための空間を確保できる。例えば、第２吸収体の面積や第１吸収体の面積を調整することによって、第１吸収体と第２吸収体の間の空間の容積を調整できる。当該容積を大きくすることにより、第１吸収体から第２吸収体に流入した排泄物を、第２吸収体によって吸収し終えるまでの（貯水)時間を確保できる。
【００９８】
また、着用者が脚を閉じた状態では、第1吸収体に圧がかかり、第１吸収体に吸収されていない体液が第１吸収体から搾り出され、第１吸収体から第２吸収体に流入する。このような体液も、第２吸収体によって吸収することができる。
【００９９】
また、図８〜図１１は、サイドスリット１３Ｂが形成された部分の第１吸収体１０の幅方向断面を模式的に示した図である。図８及び図９は、図６のＺ１-Ｚ‘１を基準としたサイドスリット１３Ｂの短部の断面図である。図１０及び図１１は、図６のＺ２-Ｚ‘２を基準としたサイドスリット１３Ｂの長部の断面図である。
【０１００】
図８及び図１０は、第１吸収体が変形する前の状態の断面図である。図８に示す断面では、第１表面シート１１及び第１裏面シート１２に切り込みが形成されていない。サイドスリット１３Ｂを挟んで配置される第１吸収層の一対の壁面の間隔Ｄ１は、狭い。
【０１０１】
これに対して、図１０に示す断面では、第１表面シート１１及び第１裏面シート１２には、それぞれ切り込み部１１Ｄ及び１２Ｄが形成されている。サイドスリット１３Ｂを挟んで配置される第１吸収層の一対の壁面の間隔Ｄ２は、図８に示す断面よりも広い。切り込み部１１Ｄ及び１２Ｄの周囲の領域では、第１表面シート１１と第１裏面シート１２が接合されており、第１吸収層１３が露出しないように構成されている。
【０１０２】
図９及び図１１は、第１吸収体が変形した後の状態を示している。装着時に着用者が足を閉じると、使い捨ておむつには、幅方向外側から幅方向内側に向けて力がかかり、サイドスリット１３Ｂの幅方向の長さ（サイドスリット１３Ｂを挟んで配置される第１吸収層１３の壁面の間隔）は、短くなる。
【０１０３】
図９に示す断面では、厚み方向Ｔにおける内方向から見た状態では、サイドスリット１３Ｂを挟んで配置される第１吸収層１３の壁面の間隔が狭くなり、サイドスリット１３Ｂが視認できなくなる。
【０１０４】
一方、図１１に示す断面では、第１表面シート１１及び第１裏面シート１２が切り込み部１１Ｄ、１２Ｄを介して分離して、第１表面シート１１及び第１裏面シート１２に開口が形成される。このとき、切り込み部１１Ｄが前後方向で連なっていないため、切り込み部１１Ｄによって囲まれた領域（図２のＲ１）が起立可能となる。
【０１０５】
また、切り込み部１１Ｄが幅方向に往復する形状であり、切り込み部１１Ｄによって囲まれた領域が形成されるため、変形時に開口が広くなる。本実施の形態の切り込み部１１Ｄは、幅方向内側端部を基点に、切り込み部１１Ｄによって囲まれた領域が下側に起立する。このように切り込み部１１Ｄによれば、前後方向に沿った直線状の切り込み線よりも、開口を広くすることができる。よって、円滑に体液等を第２吸収体２０に導くことができ、かつ第１吸収体から第２吸収体へ迅速に排泄物を移行できる。
【０１０６】
図９に示す短部において、サイドスリット１３Ｂを挟んで向かい合う第１吸収層の壁面が接触し、図１１に示す長部において、サイドスリット１３Ｂを挟んで向かい合う第１吸収層の壁面が接触することを防止できる。よって、サイドスリット１３Ｂに重なるように設けた切り込み部１１Ｄによる開口を安定して開口させることができ、第１吸収体から第２吸収体へ排泄部を移行できる。よって、切り込み部１１Ｄ、１２Ｄは、サイドスリット１３Ｂの短部に重なるように設けずに、サイドスリット１３Ｂの長部に重なるように設けることが望ましい。
【０１０７】
サイドスリット１３Ｂの幅方向の長さを、前後方向において変化させることにより、サイドスリット１３Ｂが塞がる部分と、サイドスリット１３Ｂの開口が確保される部分とを設けることができる。例えば、サイドスリット１３Ｂの幅方向の長さが均一の場合、サイドスリット１３Ｂの全長に亘って塞がってしまう可能性があり、好ましくない。
【０１０８】
また、サイドスリット１３Ｂの周囲の吸収コアを部分的に押圧等して、剛性を高くしてもよい。サイドスリット１３Ｂの周囲の剛性を高めることにより、サイドスリット１３Ｂをよりつぶれ難くすることができる。
【０１０９】
なお、本実施の形態における長さの関係や部材同士の位置関係は、図１に示す全て製品状態(展開状態ではない)であって、当該製品状態において前後方向、幅方向ともに伸長状態(資材の皺が伸びきるまで伸ばした状態)における長さの関係や位置関係である。
【０１１０】
長さの測定方法は、例えば、以下の方法によって測定できる。なお、使い捨ておむつの測定は、パッケージから取り出した状態であっても、所定の温度、湿度の条件下に置いた状態でも長さの測定値に影響が出ない。よって、任意の状態で測定可能である。吸収性本体１Ａを前後方向に伸ばし、吸収性本体１Ａを前後方向に伸ばした状態で測定する。外装体と吸収性本体が重なっていて、外装体の弾性材で吸収性本体が縮んでいる場合は、外装体の資材の皺が伸びきるまでと、吸収性本体１Ａの資材の皺が伸びきるまでは必ずしも一致しないので、吸収性本体１Ａの資材の皺が伸びきるまで伸長する。
【０１１１】
（７）作用・効果
吸収体に低目付部としての中央スリット１３Ａ及びサイドスリット１３Ｂが設けられているため、当該低目付部を介して、体液を拡散したり、吸収体を変形したりすることができる。低目付部であるサイドスリット１３Ｂの第２方向である幅方向の長さは、第１方向である前後方向で変化しており、短部１３Ｃと長部１３Ｄを有している。例えば、特許文献１のように、低目付部の幅方向の長さが一定であると、幅方向外側から幅方向内側に力が掛かった際に、溝全体が塞がってしまう恐れがある。
【０１１２】
しかし、低目付部であるサイドスリット１３Ｂの幅方向の長さが前後方向で変化しているため、幅方向外側から幅方向内側に力が掛かった際には、まず短部における低目付部の幅方向両端部が接触する。その際は、長部における低目付部の第２方向両端部同士は接触しない。よって、着用時において、体液を拡散でき、かつ吸収体を変形させることができる。
【０１１３】
更に、サイドスリット１３Ｂの短部１３Ｃの第２端縁は、前後方向に曲線状に延びている。サイドスリットの第１端縁及び第２端縁が直線状であると、当該サイドスリットを挟んで配置される第１吸収層１３の壁面が接触した際に、サイドスリットの空間が塞がり、体液の拡散性が低下するおそれがある。
【０１１４】
しかし、低目付部の短部が曲線状であるため、当該サイドスリットを挟んで配置される第１吸収層１３の壁面が点（短部のみ）で接触し、当該サイドスリットを挟んで配置される第１吸収層１３の壁面が長部では接触しない。よって、サイドスリット１３Ｂの全体が塞がることを抑制し、体液の拡散性を確保することができる。
【０１１５】
短部１３Ｃと長部１３Ｄは、前後方向において交互に配置されている。よって、変形時にサイドスリット１３Ｂが塞がる部分（短部）と変形時にサイドスリット１３Ｂの空間を確保できる部分とを交互に設けることができる。よって、サイドスリット１３Ｂの延びる方向（前後方向）に一定間隔で、排泄物を拡散できる部分を設けることができ、サイドスリット１３Ｂの全体に亘って排泄物の拡散効果を発揮できる。
【０１１６】
第１裏面シートの少なくとも長部と重なる領域は、液透過性である。よって、サイドスリット１３Ｂに流入した排泄物を、サイドスリット１３Ｂの長部及び第１裏面シートを介して、第２吸収体に移行できる。また、使い捨ておむつが着用された状態で、第１吸収層１３は、サイドスリット１３Ｂを基点に下側に凸状に変形する。よって、着用時に排泄物がサイドスリット１３Ｂに導かれやすくなる。よって、第１吸収層に排出された排泄物を、サイドスリット１３Ｂを介して第２吸収層に円滑に移行できる。
【０１１７】
第１吸収体と第２吸収体を備え、第１吸収体から第２吸収体に排泄物を移行できるため、第１吸収体の吸収容量が限界になった場合であっても、第２吸収体に排泄物を導き、着用者の肌に触れる第１吸収体の表面を伝わる排泄物の量を抑えることができる。
【０１１８】
また、着用者から排泄された排泄物を第１吸収体において所定量吸収し、第１吸収体で吸収しきれなかった体液を第２吸収体で吸収するため、排泄物を吸収した後においても、第１吸収体の厚みが厚くなり過ぎることを抑え、第１吸収体の規則的変形を維持することが可能となる。よって、快適な装着感を継続させることができる。
【０１１９】
第１表面シートと第１裏面シートには、第１吸収層から第２吸収層に向けて液体を導く切り込み部１１Ｄ、１２Ｄが形成されている。サイドスリット１３Ｂに重なる位置に第１表面シート１１の切り込み部１１Ｄ及び第１裏面シート１２の切り込み部１２Ｄが形成されているため、第１吸収層のサイドスリット１３Ｂに流入した排泄物をサイドスリット１３Ｂが延びる前後方向に拡散させるとともに、第１吸収層のサイドスリット１３Ｂに流入した排泄物を第２吸収体に円滑に移行できる。外方向に凸状に変形するサイドスリット１３Ｂに重なるように切り込み部１１Ｄ、１２Ｄを設けることにより、効率的に第２吸収体に排泄部を移行できる。また、変形時にサイドスリット１３Ｂが閉じ易い場合には、切り込み部に排泄物が到達し難くなる。しかし、変形時にサイドスリット１３Ｂを維持することにより、排泄物の移行や拡散を維持でき、排泄部の漏れを防ぐことができる。
【０１２０】
低目付部であるサイドスリット１３Ｂは、第１吸収層が外方向に凸に曲がることができるように形成されている。第１吸収層１３が外方向に凸に曲げられた状態で、第１吸収層のサイドスリット１３Ｂと第２吸収層２３との間に空間が形成されるように構成されている。第１吸収体に排出された排泄物は、サイドスリット１３Ｂ間の第１吸収層（第１吸収層の幅方向中央部）において吸収され、当該サイドスリット１３Ｂ間の第１吸収層で吸収しきれない排泄物は、外方向に凸状に変形したサイドスリット１３Ｂに導かれる。サイドスリット１３Ｂに導かれた排泄物は、サイドスリット１３Ｂを起点に変形した第１吸収層１３の凹部に一旦溜まった後、サイドスリット１３Ｂを介して前後方向に拡散されつつ、第１裏面シートを介して第２吸収体に導かれる。このとき、第１吸収層のサイドスリット１３Ｂと第２吸収層２３との間に空間が形成されており、この空間が貯水機能を発揮する。よって、第１吸収体から第２吸収体に導かれた体液を瞬時に吸収できなくても、排泄液を一旦溜めた後、徐々に吸水し保水することができる。
【０１２１】
また、第２吸収体２０は、第１吸収体１０と完全に一体化されていないが、排泄後に第２吸収体に重みがかかった場合において、第２吸収体は、サイド連結部で第１吸収体と外れることなく、第１吸収体と連結された状態を維持される。更に、第２吸収体の左右のサイド連結部間の幅方向の長さは、サイド連結部間の第１吸収体の幅方向の長さよりも長い。よって、第２吸収体２０は、袋状の形態を維持できる。第２吸収体２０は、第１吸収体１０と同じ形状に変形せず、袋状を維持して第１吸収体１０の下方に配置される。また、着用者の肌に近い第１吸収体１０は、規則的な折り畳み構造を実現でき、かつ吸収後も厚みが薄い構造を実現できる。一方、着用者の肌から遠い第２吸収体２０は、排泄後に吸収体が膨らむ構造となるが、着用者の肌から離れているため、着用者への吸収体の密着性や着用者の装着感の悪化を抑制できる。
【０１２２】
使い捨ておむつが着用された状態では、中央弾性部材１７が収縮し、中央スリット部分が内方向側に凸状に変形する。更に、着用状態では、サイドスリット１３Ｂが外方向側に凸状に変形し、サイドスリット１３Ｂよりも幅方向外側の第１吸収体の幅方向外側端部がサイド弾性部材１６の収縮によって内方向に凸状に変形する。よって、使い捨ておむつの第１吸収体１０は、図７に示す断面において、Ｗ状に変形する。体液を吸収した後の状態においても、サイドスリット１３Ｂの長部の幅を確保できるため、サイドスリットの性能（体液拡散性、規則的変形のための屈曲性）を維持できる。
【０１２３】
（８）サイドスリットの変形例
図１２は、サイドスリット１３Ｂの変形例を示した図である。図１２（ａ）〜（ｃ）のサイドスリット１３Ｂは、いずれも短部と長部を有し、短部の少なくとも一方の側縁は、曲線状である。図１２（ａ）に示すサイドスリット１３Ｂは、実施形態のサイドスリット１３Ｂを前後方向に伸ばした形である。短部に対する長部の割合が高い。当該サイドスリット１３Ｂによれば、吸収コアと重ならない部分（サイドスリット１３Ｂが形成された部分）に、実施形態よりも大きな切り込み部等を形成することができ、体液の移行性を部分的に高めたり、固形に近い排泄物の移行を高めたりできる。
【０１２４】
図１２（ｂ）及び（ｃ）に示すサイドスリット１３Ｂは、サイドスリット１３Ｂを挟んで配置され、かつ前後方向に延びる第１吸収層の側縁が、いずれも波状であり、直線状でない。
【０１２５】
（９）  開口部や切り欠き部の変形例
図１３は、開口部や切り欠き部の変形例を示した図である。図１３（ａ）及び（ｃ）は、開口部１１Ｃの例であり、図１３（ｂ）、及び（ｄ）〜（ｆ）は、切り込み部１１Ｄの例である。
【０１２６】
例えば、図１３（ｂ）〜（ｄ ）に示すように、開口部や切り欠き部が幅方向に往復する形状であることにより、着用時に使い捨ておむつの幅方向に切り込み部等が倒れやすくなり、開口面積を大きく形成できる。また、開口部や切り欠き部が前後方向に往復する形状であることにより、着用時に前後方向に切り込み部等が倒れやすくなり、開口面積を大きくすることができる。また、開口部等、シートをくり貫く構成にあっては、製造時にトリムロスが生じ、ロスを回収する装置が必要となる。また、トリムを回収しきれない場合は、製品に混入するという恐れが生じる。しかし、切り込み部によれば、トリムの回収装置が不要となり、製品にトリムロスが混入することを防止できる。
【０１２７】
また、開口部又は切り込み部は、低目付部に重なって配置されていてもよいし、低目付部とずれて配置されていてもよい。また、開口又は切り込みの幅方向における中心は、低目付部の幅方向における中心と一致していてもよいし、ずれていてもよい。更に、開口の幅方向における中心又は切り込みの幅方向における中心は、幅方向におけるスリットの中間点よりも幅方向内側に位置していてもよい。
【０１２８】
（１０）変形例１に係る吸収性物品
次いで、変形例１に係る吸収性物品について、説明する。なお、以下の変形例の説明においては、上述した実施形態に係る使い捨ておむつ１と同一部分には同一の符号を付して、相違する部分を主として説明する。
【０１２９】
図１４は、変形例１に係る吸収性物品の平面図である。図１５は、図１４に示すＸ３-Ｘ’３線に沿った吸収性物品の幅方向断面図である。変形例１に係る吸収性物品１００Ａは、外装体を備えず、吸収性本体のみから構成されている。変形例１に係る吸収性物品１００Ａは、尿とりパッド等のパッドタイプの吸収性物品である。
【０１３０】
変形例１の吸収性物品は、実施の形態と同様に、第１吸収体１０と、第２吸収体２０と、を有する。変形例１に係る吸収性物品１００Ａが実施の形態の使い捨ておむつ１と比較して異なる点は、（１）第１吸収体が複数層で構成されている点、（２）切り込み部に代えて、開口部が形成されている点、（３）第２吸収体が折り畳まれていない点である。
【０１３１】
（１）について具体的には、第１吸収層１３は、上層第１吸収層１３３と下層第１吸収層１３４と、を有する。中央スリット１３Ａ及びサイドスリット１３Ｂは、下層第１吸収層１３４に形成されている。
【０１３２】
（２）について具体的には、第１表面シート１１及び第１裏面シート１２には、切り込み部１１Ｄ、１２Ｄに代えて、開口部（くりぬき部）１１Ｃ、１２Ｃが形成されている。開口部は、円形である。
【０１３３】
（３）について具体的には、第２吸収体は、第１折り目及び第２折り目を基点に折り畳まれていない。このように第２吸収体が折り畳まれてない構成においても、装着時に第１吸収体がＷ字状に変形することにより、第１吸収体と第２吸収体との間に空間を設けることができる。
【０１３４】
（１１）変形例２に係る吸収性物品
次いで、変形例２に係る吸収性物品１００Ｂについて説明する。図１６は、変形例２に係る吸収性物品１００Ｂの平面図である。変形例２に係る吸収性物品１００Ｂは、変形例１の吸収性物品と同様に、外装体を備えず、吸収性本体のみから構成されている。変形例２に係る吸収性物品１００Ｂは、尿とりパッド等のパッドタイプの吸収性物品である。
【０１３５】
変形例２に係る吸収性物品１００Ｂが実施の形態の使い捨ておむつ１と比較して異なる点は、（１）サイドスリット１３Ｂが第１吸収層の前後方向の全域に亘って形成されている点、（２）中央スリットが形成されていない点、（３）第１吸収層１３及び第２吸収層の平面形状が略矩形である点である。
【０１３６】
変形例２に係る吸収性物品１００Ｂによれば、着用者が足を閉じ吸収体が幅方向内側によれても、サイドスリットの幅方向長さを維持できるので、体液をサイドスリットに沿って前後方向に拡散できる。したがって、スリットによって幅方向外側への液拡散を抑制できる。吸収体の前後方向の端部へと液を拡散し、吸収体を有効利用できる。また、サイドスリットよりも幅方向外側の吸収層がサイドギャザーの収縮によって上方へ起立し、吸収後も維持できるので、横漏れ防止性能を向上できる。
【０１３７】
（１２）変形例３に係る吸収性物品
次いで、変形例３に係る吸収性物品１００Ｃについて説明する。図１７は、変形例３に係る吸収性物品１００Ｃの平面図である。変形例３に係る吸収性物品１００Ｃは、変形例１の吸収性物品と同様に、外装体を備えず、吸収性本体のみから構成されている。変形例３に係る吸収性物品１００Ｃは、尿とりパッド等のパッドタイプの吸収性物品である。変形例３に係る吸収性物品１００Ｃのサイドスリット１３Ｂは、前後方向に対して傾斜している。股下域の吸収体を規則的に変形させ、カップ状の変形を吸収後も維持できるので、装着感がよく、漏れ性能を向上できる。
【０１３８】
（１３）変形例４に係る吸収性物品
次いで、変形例４に係る吸収性物品１００Ｄについて説明する。図１８は、変形例４に係る吸収性物品１００Ｄの平面図である。変形例４に係る吸収性物品１００Ｄは、パンツタイプの使い捨ておむつではなく、オープンタイプの使い捨ておむつである。
【０１３９】
使い捨ておむつ１００Ｄは、着用者の股間部に当てられる股下域に配置され、吸収性材料が積層された吸収体１０１と、吸収体の肌当接面側に配置された表面シート１０２と、吸収体の非肌当接面側に配置された裏面シート（図示せず）と、吸収体よりも幅方向外側において表面シートの幅方向外側端部を覆うサイドフラップ１０３と、サイドフラップから幅方向外側に延出するファスニングテープ１０４と、使い捨ておむつの非肌当接側の外面に配置され、ファスニングテープ１０４が止着するターゲット部１０５と、着用者の脚回りに配置される脚周り開口を収縮させるレッグ弾性部材１０６と、を有する。
【０１４０】
後胴回り域の吸収体１０１には、低目付部としてのスリット１０１Ｂが形成されている。スリットは、幅方向に沿って設けられている。スリットの幅方向に直交する前後方向の長さは、幅方向において変化している。スリットは、前後方向の長さが短い短部１０１Ｃと、幅方向の長さが短部の幅方向の長さよりも長い長部１０１Ｄと、を有する。
【０１４１】
スリットを設けることにより、吸収体の前後方向、特に後方向への体液の拡散を抑制し、使い捨ておむつの背側から漏れを防ぐことができる。また、着用時に使い捨ておむつが前後方向によれることによってスリットが塞がってしまうといったことを防ぐことができ、使い捨ておむつの背側から漏れ効果を発揮することができる。
【０１４２】
（１４）その他の実施形態
上述したように、本発明の実施形態を通じて本発明の内容を開示したが、この開示の一部をなす論述及び図面は、本発明を限定するものであると理解すべきではない。この開示から当業者には様々な代替実施の形態、実施例及び運用技術が明らかとなる。
【０１４３】
例えば、上述した実施形態では、パンツ型の使い捨ておむつとして説明したが、本発明は、これに限定されるものではなく、オープン型の使い捨ておむつであってもよいし、失禁用パッド及びパンツタイプの生理用ナプキンなどに適用してもよい。
【０１４４】
第２裏面シートは、幅方向又は前後方向に伸長する伸長性を有し、第２吸収層が体液を吸収することによって幅方向又は前後方向に伸長するように構成されていてもよい。第２裏面シートが伸長性を有することにより、第２吸収層２３において体液を吸収し、第２吸収層２３の重量や膨らみが大きくなった場合に、第２裏面シートが幅方向又は前後方向に伸びて、第１吸収体と第２吸収体との間の空間を大きく形成できる。よって、更に排泄物を貯水し、且つ吸収する空間を設けることができる。
【０１４５】
このような第２裏面シートとしては、防水性フィルムと伸縮性不織布を貼り合わせた複合シートを例示できる。複合シートの製造方法としては、例えば、第２裏面シートの製品寸法よりも前後方向の寸法及び/又は幅方向の寸法が長い防水性フィルムを用意し、当該防水性フィルムに対して伸縮性不織布を前後方向及び/又は幅方向に伸張させて、防水性フィルムと伸縮性不織布とを接合する。このとき、防水性フィルムと伸縮性不織布とを部分的に接合してもよいし、伸縮性不織布の全面に亘って接合してもよい。上記複合シートを、第２吸収体裏面シートの所定の寸法に縮めて、他構成部材に貼り合わせる。
【０１４６】
非伸縮性フィルム、非伸縮性不織布、及び弾性部材による第２裏面シートの製造方法としては、例えば、第２裏面シートの製品寸法と比べて、幅方向に略同じ寸法で、また前後方向の長さが長い非伸縮性フィルム及び非伸縮性不織布を用意し、当該非伸縮性フィルムと非伸縮性不織布との間に、弾性部材を前後方向に伸長固定する。このとき非伸縮性フィルムと非伸縮性不織布は部分的に接合してもよいし、全面的に亘って接合してもよい。上記複合シートを、第２吸収体裏面シートの所定の寸法に縮めて、他構成部材に貼り合わせる。
【０１４７】
第２裏面シートは、幅方向又は前後方向に伸長する伸長性を有し、第２吸収層が体液を吸収することによって幅方向又は前後方向に伸長するように構成されていてもよい。第２裏面シートが伸長性を有することにより、第２吸収層２３において体液を吸収し、第２吸収層２３の重量や膨らみが大きくなった場合に、第２裏面シートが幅方向又は前後方向に伸びて、第１吸収体と第２吸収体との間の空間を大きく形成できる。よって、更に排泄物を貯水し、且つ吸収する空間を設けることができる。
【０１４８】
このような第２裏面シートとしては、防水性フィルムと伸縮性不織布を貼り合わせた複合シートを例示できる。複合シートの製造方法としては、例えば、第２裏面シートの製品寸法よりも前後方向の寸法及び/又は幅方向の寸法が長い防水性フィルムを用意し、当該防水性フィルムに対して伸縮性不織布を前後方向及び/又は幅方向に伸張させて、防水性フィルムと伸縮性不織布とを接合する。このとき、防水性フィルムと伸縮性不織布とを部分的に接合してもよいし、伸縮性不織布の全面に亘って接合してもよい。上記複合シートを、第２吸収体裏面シートの所定の寸法に縮めて、他構成部材に貼り合わせる。
【０１４９】
非伸縮性フィルム、非伸縮性不織布、及び弾性部材による第２裏面シートの製造方法としては、例えば、第２裏面シートの製品寸法と比べて、幅方向に略同じ寸法で、また前後方向の長さが長い非伸縮性フィルム及び非伸縮性不織布を用意し、当該非伸縮性フィルムと非伸縮性不織布との間に、弾性部材を前後方向に伸長固定する。このとき非伸縮性フィルムと非伸縮性不織布は部分的に接合してもよいし、全面的に亘って接合してもよい。上記複合シートを、第２吸収体裏面シートの所定の寸法に縮めて、他構成部材に貼り合わせる。
【０１５０】
サイド連結部間の距離は、後方から前方に向かうにつれて長くなり、後方よりも股間部において空間が大きくなっていてもよい。当該長さの測定は、使い捨ておむつの製品幅方向中心線に対して直交する幅方向に沿って製品を切断し、その切口の断面にて、第２吸収体の表面シート側におけるサイド連結部間（サイド連結部の幅方向内側同士）の距離をメジャーや定規を用いて測定する。このとき、第２吸収体を製品外方向に、皺なく伸ばした状態で測定する。
【０１５１】
例えば、比較的後胴回り域に近い側は、着用者が寝姿勢において体圧がかかり、第１吸収体１０と第２吸収体２０の離間距離を長く設けた場合であっても、第１吸収体１０と第２吸収体２０との間の空間を確保できず、貯水し難い。また、比較的後胴回り域に近い側において、第１吸収体１０と第２吸収体２０の間の離間距離を長くし過ぎると、着用者が立った姿勢において、見た目のすっきり感を損なったり、使い捨ておむつがだぶついて着用感を損なったりすることがある。よって、後胴回り域側のサイド連結部間の距離は、短い方が望ましい。変形例１に係る使い捨ておむつによれば、後胴回り域における着用感の悪化を抑制しつつ、股下域における吸収性能を確保することができる。
【０１５２】
一方、股下域の前後方向中心側は、着用者から体液が多量に排出される領域であり、第１吸収体１０と第２吸収体２０との間の空間を広く形成することが望ましい。よって、股下域の前後方向中心側においてサイド連結部３１を比較的短くし、第１吸収体１０と第２吸収体２０の離間距離を長く設けることにより、一度に大量の体液が排出された場合であっても、一時的に貯水することが可能となり、漏れを防ぐことができる。
【０１５３】
また、第１吸収体と第２吸収体の間に第３吸収体を設けてもよい。第３吸収体を設けることにより、第１吸収体から第２吸収体への排泄物の移行をより促進できる。また、第１吸収層及び第２吸収層は、一層構造であってもよいし、上下二層構造であってもよいし、三層以上であってもよい。
【０１５４】
このように、本発明は、ここでは記載していない様々な実施の形態などを含むことは勿論である。従って、本発明の技術的範囲は、上述の説明から妥当な特許請求の範囲に係る発明特定事項によってのみ定められるものである。
【符号の説明】
【０１５５】
１        ：使い捨ておむつ
１Ａ      ：吸収性本体
１Ｂ      ：外装体
３        ：接合部
４、４’  ：前胴回り縁部
６、６‘  ：後胴回り縁部
８        ：腰回り開口部
９        ：脚回り開口部
１０      ：第１吸収体
１１      ：第１表面シート
１１Ｃ    ：開口部
１１Ｄ    ：切り込み部
１２      ：第１裏面シート
１２Ｃ    ：開口部
１２Ｄ    ：切り込み部
１３      ：第１吸収層
１３Ａ    ：中央スリット
１３Ｂ    ：サイドスリット
１３Ｃ    ：短部
１３Ｄ    ：長部
１４      ：サイド防漏シート
１５      ：サイドカバーシート
１６      ：サイド弾性部材
１７      ：中央弾性部材
１８      ：弾性部材カバーシート
１９      ：補助シート
２０      ：第２吸収体
２１      ：第２表面シート
２２      ：第２吸収層被覆シート
２３      ：第２吸収層
２４      ：拡散シート
２５      ：第２防漏シート
２６      ：第２裏面シート
３１      ：サイド連結部
３２      ：幅連結部
３５      ：接合部
７１Ｆ      ：前側外装表面シート
７１Ｒ      :後側外装表面シート
７２Ｆ      ：前側外装裏面シート
７２Ｒ      :後側外装裏面シート
７３      ：ウエスト弾性部材
７４      ：フィット弾性部材
１３１    ：上層第１吸収層
１３２    ：下層第１吸収層
ＩＮ      ：内方向
ＯＵＴ    ：外方向
Ｌ        ：前後方向
Ｔ        ：厚み方向
Ｗ        ：幅方向
Ｓ１      ：前胴回り域
Ｓ２      ：後胴回り域
Ｓ３      ：股下域
ＦＬ１    ：第１折り目
ＦＬ２    ：第２折り目
【図１】
2015039579.tif 000003
【図２】
2015039579.tif 000004
【図３】
2015039579.tif 000005
【図４】
2015039579.tif 000006
【図５】
2015039579.tif 000007
【図６】
2015039579.tif 000008
【図７】
2015039579.tif 000009
【図８】
2015039579.tif 000010
【図９】
2015039579.tif 000011
【図１０】
2015039579.tif 000012
【図１１】
2015039579.tif 000013
【図１２】
2015039579.tif 000014
【図１３】
2015039579.tif 000015
【図１４】
2015039579.tif 000016
【図１５】
2015039579.tif 000017
【図１６】
2015039579.tif 000018
【図１７】
2015039579.tif 000019
【図１８】
2015039579.tif 000020